(57)【要約】    【課題】  低コストかつ効率的な情報供給の可能な電子メールデータ変換システムおよび情報媒介システムを提供すること。    【解決手段】  電子メール本文等の電子メールデータを受信するメール受信手段と、受信された電子メールデータからデータ内容に応じてＷｅｂサイト用メールデータか印刷用メールデータの少なくともいずれかを準備するデータ変換前処理手段と、準備されたＷｅｂサイト用メールデータをＷｅｂサイト用のデータ形式に変換するＷｅｂデータ生成変換手段と、また印刷用メールデータを印刷用のデータ形式に変換する印刷データ生成変換手段とからなり、電子メール内容に応じてＷｅｂサイト用データか印刷用データの少なくともいずれか一方の生成が自動的になされる電子メールデータ変換システムとする。【選択図】  図１
2006059279.tif 000002
【特許請求の範囲】
【請求項１】
電子メール本文ならびに付帯する画像情報その他のデータが付帯されている場合はそれをも含めてなる電子メールデータを受信するメール受信手段と、該メール受信手段により受信された該電子メールデータからそのデータ内容に応じてＷｅｂサイト用メールデータもしくは印刷用メールデータの少なくともいずれかを準備するデータ変換前処理手段と、該データ変換前処理手段により準備されたＷｅｂサイト用メールデータをＷｅｂサイト用のデータ形式に変換するＷｅｂデータ生成変換手段と、および同様に準備された印刷用メールデータを印刷用のデータ形式に変換する印刷データ生成変換手段とからなり、それにより電子メールの内容に応じてＷｅｂサイト用データもしくは印刷用データの少なくともいずれか一方の生成が自動的になされる、電子メールデータ変換システム。
【請求項２】
前記データ変換前処理手段は、受信された電子メールに付されたヘッダー情報に添付された識別子により、該電子メールデータを、Ｗｅｂサイト用メールデータ、印刷用メールデータ、もしくは両用データに判別するためのメールデータ判別機能を備えることを特徴とする、請求項１に記載の電子メールデータ変換システム。
【請求項３】
前記Ｗｅｂデータ生成変換手段は、プログラムにより前記Ｗｅｂサイト用メールデータをＷｅｂデータに自動変換し、また、前記印刷データ生成変換手段は、プログラムにより前記印刷用メールデータを印刷データに自動変換することを特徴とする、請求項１または２に記載の電子メールデータ変換システム。
【請求項４】
前記Ｗｅｂデータおよび印刷データは、それぞれ印刷用データベースとホームページ用データベースに、タイトル・本文・添付ファイルに分解、整理して保存されることを特徴とする、請求項１ないし３のいずれかに記載の電子メールデータ変換システム。
【請求項５】
情報供給側通信端末からインターネットを介して送信される電子メールのデータを処理する請求項１ないし４のいずれかに記載の電子メールデータ変換システムと、該電子メールデータ変換システムに接続し、これにより変換され生成したデータを処理しもしくはそれに加えて出力するためのＷｅｂサーバならびに印刷物制作用端末とからなり、前記情報供給側通信端末からの電子メールを受信することにより、送信された電子メールに係る電子メールデータから、Ｗｅｂサイト用データもしくは印刷用データの少なくともいずれか一方の生成がなされて、前記ＷｅｂサーバによりＷｅｂページ上で閲覧可能なコンテンツが出力可能であり、また前記印刷物制作用端末により印刷物が出力可能であり、該電子メールデータが前記両用データである場合には、同一のコンテンツが該ＷｅｂサーバによるＷｅｂページ上コンテンツならびに印刷物として出力可能であることを特徴とする、情報媒介システム。
【請求項６】
前記Ｗｅｂサーバにはメールサーバもしくはメールサーバ機能が設けられ、Ｗｅｂページ閲覧可能な情報需要側端末に対してインターネットを介して、前記Ｗｅｂページ上で閲覧可能なコンテンツの配信可能であることを特徴とする、請求項５に記載の情報媒介システム。
【請求項７】
前記電子メールデータは料飲店の営業・広告情報にかかるものであり、前記Ｗｅｂページは複数の料飲店の営業・広告情報が随時掲載・提供されるものであり、前記印刷物は複数の料飲店の営業・広告情報が掲載・提供される情報誌であり、これにより本システムを利用する料飲店の情報供給側端末から送信される電子メールに基づいて、該Ｗｅｂページおよび該印刷物の両媒体によって料飲店の営業・広告情報が提供可能であることを特徴とする、請求項５または６に記載の情報媒介システム。
【発明の詳細な説明】
【技術分野】
【０００１】
本発明は電子メールデータ変換システムおよび情報媒介システムに係り、特に、情報供給側の者に係る携帯電話機等からの電子メール送信により随時更新可能な情報供給を安価かつ簡易な構成により行うことができ、それにより小規模経営の広告主であっても低コストかつ容易に利用可能な広告手段を提供する、電子メールデータ変換システムおよび情報媒介システムに関する。
【背景技術】
【０００２】
インターネット上にＷｅｂサイトを設けて情報を供給し、広告することは、あらゆる業界において極めて一般化した技術手段であることはいうまでもない。Ｗｅｂサイトは、情報供給側の者が自らこれを企画・構成し、更新し、運営する場合もあるが、インターネットプロバイダや広告代理店がこれを受託して行うことも広く行われており、後者の場合、制作費・維持費等の相応の経費がかかることもまた、当然ことである。インターネットの広告環境は、情報需用者側にとっての情報検索の簡便性・効率性・高い検索効果・得られる情報の鮮度の良さなどから、通常はそれなりの経費を掛けても、充分に導入効果を見出すことができるものである。
【０００３】
さて一方、携帯電話機を用いた電子メール通信においては、静止画像・動画影像といった容量を要するデータを添付しての通信の実態もまた既に一般的なものである。携帯電話機を用いたデータ通信におけるデータの処理に関しては幾多の提案がなされているが、たとえば後掲特許文献１では、添付ファイルを含む電子メールを、その添付ファイルを展開するアプリケーションソフトを所有しない端末で受信した場合であっても、適切に添付ファイルの内容を確認することを課題として、 電子メールに含まれる添付ファイルを取得する取得手段と、取得された添付ファイルを記憶する記憶手段と、記憶された添付ファイルを所定のアプリケーションソフトで展開する展開手段と、展開された添付ファイルのデータを送信先に応じたデータに変換する変換手段と、変換されたデータを前記送信先に送信する送信手段とを含むサーバシステムを提案している。
【０００４】
また後掲特許文献２では、携帯電話に宛てられた電子メールやその添付ファイルの内容を、ＦＡＸで印刷することを可能とする電子メール印刷システムとして、電子メールの宛先、本文等を認識するメール内容認識部と、宛先に対応して登録された電話番号の電話に電子メール着信通知を送出する着信通知部と、Ｗｅｂ上でユーザの認証を行う手段と、認証されたユーザ宛ての電子メールについての差出人、本文等を選択し、その内容の送出先の電話番号を入力するためのＷｅｂページを生成する生成手段と、Ｗｅｂページで選択された内容を送出先の電話番号に画像データとして送出する送出部とを備えた電子メール変換サーバを中心とするシステムを提案する。
【０００５】
【特許文献１】特開２００２−１３２６７９「サーバシステム、添付ファイル提供方法および添付ファイル提供プログラムを記録したコンピュータ読み取り可能な記録媒体」。要約、特許請求の範囲、図１、３。
【特許文献２】特開２００１−３５８７５４「電子メール変換サーバ及びそれを有する電子メール印刷システム並びにそれらの方法」、要約、特許請求の範囲、図１、４。
【発明の開示】
【発明が解決しようとする課題】
【０００６】
さて、上述したようにＷｅｂサイトの開設・企画・制作・運営を業者に委託して賄うことは一般的に行われてはいるが、それに掛ける費用に限界のある情報供給希望者も多い。たとえば料飲業界にはそのような小規模経営の営業も多数あり、これらの事業者の中には自前でのＷｅｂサイト開設・運営はもちろん、外部委託によってもインターネットの広告環境をなかなか導入できない事業者も決して少なくない。
【０００７】
一方、フリーペーパーなど広告宣伝紙・誌は従来から多く発行されていて、上記小規模経営事業者等はフリーペーパーを利用することも一般的である。しかしながらこれも、通常は相応の営業・印刷・配布等のコストが掛かるものであるために、小規模経営事業者にとって広告費を削減するのには自ずと限界があった。
【０００８】
また、インターネット利用の情報需用者とフリーペーパー等紙媒体利用の情報需用者とは、必ずしも完全には一致せず、一方のみによる広告では零れてしまう顧客相が存在する。逆に両媒体を連動させることができれば、単に量的に広告効果が増加するのみならず、相乗的な効果も期待できる。
【０００９】
本発明が解決しようとする課題は、上記従来技術の問題点を除き、情報供給側の者に係る携帯電話機等からの電子メール送信により随時更新可能な情報供給を安価かつ簡易な構成により行うことができ、それにより、たとえば小規模経営の料飲店など広告コストに限界のある広告主であっても、低コストかつ容易に利用可能な情報供給手段、広告手段を提供する、電子メールデータ変換システムおよび情報媒介システムを提供することである。
【００１０】
さらには、携帯電話機等からの電子メール送信が行われることのみにより、自動的に、インターネット上での広告と紙媒体双方での広告をなし得る、電子メールデータ変換システムおよび情報媒介システムを提供することである。
【課題を解決するための手段】
【００１１】
本願発明者は上記課題について検討した結果、携帯電話機等により送信された電子メールを受信してそのデータを両情報供給媒体に適した形式に自動的に変換するシステムを用いることによって上記課題の解決が可能であることを見出し、本発明に至った。すなわち、上記課題を解決するための手段として本願で特許請求される発明は、以下のとおりである。
【００１２】
（１）  電子メール本文ならびに付帯する画像情報その他のデータが付帯されている場合はそれをも含めてなる電子メールデータを受信するメール受信手段と、該メール受信手段により受信された該電子メールデータからそのデータ内容に応じてＷｅｂサイト用メールデータもしくは印刷用メールデータの少なくともいずれかを準備するデータ変換前処理手段と、該データ変換前処理手段により準備されたＷｅｂサイト用メールデータをＷｅｂサイト用のデータ形式に変換するＷｅｂデータ生成変換手段と、および同様に準備された印刷用メールデータを印刷用のデータ形式に変換する印刷データ生成変換手段とからなり、それにより電子メールの内容に応じてＷｅｂサイト用データもしくは印刷用データの少なくともいずれか一方の生成が自動的になされる、電子メールデータ変換システム。
（２）  前記データ変換前処理手段は、受信された電子メールに付されたヘッダー情報に添付された識別子により、該電子メールデータを、Ｗｅｂサイト用メールデータ、印刷用メールデータ、もしくは両用データに判別するためのメールデータ判別機能を備えることを特徴とする、（１）に記載の電子メールデータ変換システム。
（３）  前記Ｗｅｂデータ生成変換手段は、プログラムにより前記Ｗｅｂサイト用メールデータをＷｅｂデータに自動変換し、また、前記印刷データ生成変換手段は、プログラムにより前記印刷用メールデータを印刷データに自動変換することを特徴とする、（１）または（２）に記載の電子メールデータ変換システム。
（４）  前記Ｗｅｂデータおよび印刷データは、それぞれ印刷用データベースとホームページ用データベースに、タイトル・本文・添付ファイルに分解、整理して保存されることを特徴とする、（１）ないし（３）のいずれかに記載の電子メールデータ変換システム。
【００１３】
（５）  情報供給側通信端末からインターネットを介して送信される電子メールのデータを処理する（１）ないし（４）のいずれかに記載の電子メールデータ変換システムと、該電子メールデータ変換システムに接続し、これにより変換され生成したデータを処理しもしくはそれに加えて出力するためのＷｅｂサーバならびに印刷物制作用端末とからなり、前記情報供給側通信端末からの電子メールを受信することにより、送信された電子メールに係る電子メールデータから、Ｗｅｂサイト用データもしくは印刷用データの少なくともいずれか一方の生成がなされて、前記ＷｅｂサーバによりＷｅｂページ上で閲覧可能なコンテンツが出力可能であり、また前記印刷物制作用端末により印刷物が出力可能であり、該電子メールデータが前記両用データである場合には、同一のコンテンツが該ＷｅｂサーバによるＷｅｂページ上コンテンツならびに印刷物として出力可能であることを特徴とする、情報媒介システム。
（６）  前記Ｗｅｂサーバにはメールサーバもしくはメールサーバ機能が設けられ、Ｗｅｂページ閲覧可能な情報需要側端末に対してインターネットを介して、前記Ｗｅｂページ上で閲覧可能なコンテンツの配信可能であることを特徴とする、（５）に記載の情報媒介システム。
（７）  前記電子メールデータは料飲店の営業・広告情報にかかるものであり、前記Ｗｅｂページは複数の料飲店の営業・広告情報が随時掲載・提供されるものであり、前記印刷物は複数の料飲店の営業・広告情報が掲載・提供される情報誌であり、これにより本システムを利用する料飲店の情報供給側端末から送信される電子メールに基づいて、該Ｗｅｂページおよび該印刷物の両媒体によって料飲店の営業・広告情報が提供可能であることを特徴とする、（５）または（６）に記載の情報媒介システム。
【発明の効果】
【００１４】
本発明の電子メールデータ変換システムおよび情報媒介システムは上述のように構成されるため、これによれば、情報供給側の者に係る携帯電話機等からの電子メール送信により随時更新可能な情報供給を安価かつ簡易な構成により行うことができ、それにより、たとえば小規模経営の料飲店など広告コストに限界のある広告主であっても、低コストかつ容易に利用可能な広告手段を得ることができるなど、低コストかつ容易に利用可能な情報供給手段を得ることができる。
【００１５】
また、携帯電話機等からの電子メール送信が行われることのみにより、自動的に、インターネット上と紙媒体双方での情報供給・広告を行うことができ、情報供給者側は、広告コスト低減、時間の節約、入稿労力が軽減されるとともに、両媒体によって広告効果を一層高めることができる。
【００１６】
さらに本発明の各システムを運営する者にとっては、料飲業界等の新たな広告市場を開拓することができ、また制作面での効率化を図ることができる。
【発明を実施するための最良の形態】
【００１７】
以下、本発明を図面により詳細に説明する。
図１は、本発明の電子メールデータ変換システムの基本構成を示すブロック図である。また、
図２は、本発明の電子メールデータ変換システムにおける電子メールデータの処理の流れを示すフロー図である。これらに図示するように本システム１０は、電子メール本文ならびに付帯する画像情報その他のデータが付帯されている場合はそれをも含めてなる電子メールデータＤｅを受信するメール受信手段１と、該メール受信手段１により受信された該電子メールデータＤｅからそのデータ内容に応じてＷｅｂサイト用メールデータＤｅＷもしくは印刷用メールデータＤｅＰの少なくともいずれかを準備するデータ変換前処理手段２と、該データ変換前処理手段２により準備されたＷｅｂサイト用メールデータＤｅＷをＷｅｂサイト用のデータ形式に変換するＷｅｂデータ生成変換手段３と、および同様に準備された印刷用メールデータＤｅＰを印刷用のデータ形式に変換する印刷データ生成変換手段４とからなる（上記（１）の発明）。
【００１８】
かかる構成により、本発明電子メールデータ変換システム１では、前記メール受信手段１によって前記電子メールデータＤｅが受信され、該電子メールデータＤｅは前記データ変換前処理手段２によって、そのデータ内容に応じてＷｅｂサイト用メールデータＤｅＷもしくは印刷用メールデータＤｅＰの少なくともいずれかに区別して準備され、該Ｗｅｂサイト用メールデータＤｅＷは前記Ｗｅｂデータ生成変換手段３によってＷｅｂサイト用のデータ形式に変換され、一方、該印刷用メールデータＤｅＰは前記印刷データ生成変換手段４によって印刷用のデータ形式に変換され、最終的には、電子メールの内容に応じてＷｅｂサイト用データＤＷもしくは印刷用データＤＰの少なくともいずれか一方の生成が自動的になされる。
【００１９】
これらの図において、本システム１０は、前記データ変換前処理手段２は、受信された電子メールに付されたヘッダー情報に添付された識別子により、該電子メールデータＤｅを、Ｗｅｂサイト用メールデータＤｅＷ、印刷用メールデータＤｅＰ、もしくは両用データに判別するためのメールデータ判別機能２１を備えた構成をとるものとすることができる（上記（２）の発明）。
【００２０】
かかる構成により、本電子メールデータ変換システム１では、前記データ変換前処理手段２に備えられたメールデータ判別機能２１によって、受信された電子メールに付されたヘッダー情報に添付された識別子に基づき、該電子メールデータＤｅが、Ｗｅｂサイト用メールデータＤｅＷ、印刷用メールデータＤｅＰ、もしくは両用データに判別されて、前記Ｗｅｂデータ生成変換手段３、印刷データ生成変換手段４により処理される。
【００２１】
かかる識別子としては、前記メールデータ判別機能２１でのデータの振り分けを行うために、データの用途別を示す適宜の文字列や記号・文字・数字の適宜の結合による表示を用いることができるが、これに拘わらず、たとえば最終的に再生されるデータを、データ発信元の地域によって分別・処理するための地域別を示す表示、あるいはまた、データ発信元の業種や店種すなわちカテゴリーによって分別・処理するためのカテゴリー別を示す表示等を、適宜用いることができる。
【００２２】
本発明電子メールデータ変換システム１は、そのＷｅｂデータ生成変換手段３は、プログラムにより前記Ｗｅｂサイト用メールデータＤｅＷをＷｅｂデータに自動変換し、また、前記印刷データ生成変換手段４は、プログラムにより前記印刷用メールデータＤｅＰを印刷データに自動変換でき（上記（３）の発明）、また、前記Ｗｅｂデータおよび印刷データは、それぞれ印刷用データベースとホームページ用データベースに、タイトル・本文・添付ファイルに分解、整理して保存されるものとすることができる（上記（４）の発明）。
【００２３】
図３は、本発明の情報媒介システムの基本構成を示すブロック図である。図示するように本情報媒介システム１００は、情報供給側通信端末６からインターネット８を介して送信される電子メールのデータＤｅを処理するための、上述のいずれかの電子メールデータ変換システム１５と、該電子メールデータ変換システム１５に接続し、これにより変換され生成したデータを処理しもしくはそれに加えて出力するためのＷｅｂサーバ３０ならびに印刷物制作用端末４０とからなり、前記情報供給側通信端末６からの電子メールを受信することにより、送信された電子メールに係る電子メールデータＤｅから、Ｗｅｂサイト用データＤＷもしくは印刷用データＤＰの少なくともいずれか一方の生成がなされて、前記Ｗｅｂサーバ３０によりＷｅｂページ上で閲覧可能なコンテンツＣが出力可能であり、また前記印刷物制作用端末４０により印刷物が出力可能であり、該電子メールデータＤｅが前記両用データである場合には、同一のコンテンツが該Ｗｅｂサーバ３０によるＷｅｂページ上コンテンツＣならびに印刷物として出力可能に構成されていることを、特徴とする（上記（５）の発明）。
【００２４】
かかる構成により本情報媒介システム１００では、前記情報供給側通信端末６からインターネット８を介して電子メールが送信されると、その電子メールデータＤｅは、上述のいずれかの電子メールデータ変換システム１５によって処理されて、Ｗｅｂサイト用データＤＷもしくは印刷用データＤＰの少なくともいずれか一方の生成がなされ、該Ｗｅｂサイト用データＤＷは前記Ｗｅｂサーバ３０によってＷｅｂページ上で閲覧可能なコンテンツＣとして出力され、また、該印刷用データＤＰは前記印刷物制作用端末４０によって印刷物として出力され、また、該電子メールデータＤｅが前記両用データである場合には、同一のコンテンツが該Ｗｅｂサーバ３０によるＷｅｂページ上コンテンツＣならびに印刷物として出力される。このようにして、該情報供給側通信端末６から送信された電子メール（画像等のデータが付帯されている場合を含む。以下も同じ）のデータは、本情報媒介システム１００によって処理されて、Ｗｅｂページ上コンテンツとして、またはフリーペーパー等の印刷物として、あるいはそれら両者として、自動的に出力されることが可能である。
【００２５】
前記通信端末６としては、インターネットによる通信機能を有する電子計算機や電子計算機機能を有するインターネット通信機器を用いることができる。後記情報提供側通信端末においても同様である。
【００２６】
前記印刷物制作用端末は、単に印刷用データＤＰを印刷するための機能のみならず、デスクトップパブリッシング（ＤＴＰ）の可能なソフトウェアならびにハードウェア構成を備えたものとすることにより、出力される印刷物に係る制作労力が軽減されて、自動的な印刷物制作を得ることができる。
【００２７】
図において、本情報媒介システム１００は、前記Ｗｅｂサーバ３０にメールサーバ３５もしくはメールサーバ機能が設けられ、Ｗｅｂページ閲覧可能な情報需要側端末９に対してインターネット８を介して、前記Ｗｅｂページ上で閲覧可能なコンテンツの配信可能な構成とすることができる（上記（６）の発明）。
【００２８】
かかる構成により本情報媒介システム１００では、前記Ｗｅｂサーバ３０に設けられたメールサーバ３５もしくはメールサーバ機能によって、Ｗｅｂページ閲覧可能な情報需要側端末９に対してインターネット８を介して、前記Ｗｅｂページ上で閲覧可能なコンテンツを配信することができる。
【００２９】
つまりかかる構成によれば、該情報需要側通信端末９においては、Ｗｅｂページ閲覧、該メールサーバ３５等による配信の受信、の二つの方法によって、情報供給側通信端末６からの発信に係るコンテンツＣを取得することができる。
【実施例】
【００３０】
図４は、本情報媒介システムを営業・広告情報の媒介に用いた場合の例を示す説明図である。いうまでもなくこれは一例であり、本発明がこれに限定されるものではない。
【００３１】
図示するように本システムでは、特に料飲店の営業・広告情報を電子メールデータとして扱い、Ｗｅｂページには複数の料飲店の営業・広告情報が随時掲載・提供され、印刷物は複数の料飲店の営業・広告情報が掲載・提供される情報誌であり、これにより本システムを利用する料飲店の情報供給側端末から送信される電子メールに基づいて、Ｗｅｂページおよび印刷物の両媒体によって料飲店の営業・広告情報が提供可能である（上記（７）の発明）。
【００３２】
図４の例では、情報供給側通信端末、情報需要側通信端末としては携帯電話機が用いられ、また電子メールデータ変換システムはデータ変換メールサーバ（ＭＡＩＬＳＥＲＶＥＲ）として示されている。また、Ｗｅｂサーバおよびメールサーバは携帯用Ｗｅｂサーバ／メールサーバ（ＷＥＢＳＥＲＶＥＲ／ＭＡＩＬＳＥＲＶＥＲ）として示されており、媒介情報の需要側通信端末へのメール配信の便宜のため、情報需要者側通信端末およびその所持者に関する必要なデータを蓄積保存するための利用者メール登録用データベースが備えられている。また、印刷物制作用端末は、ＤＴＰおよび印刷が可能なものが構成されている。
【００３３】
前記データ変換メールサーバでは、Ｗｅｂサイト上で閲覧されるＷｅｂデータ（ＷＥＢデータ）と、Ｗｅｂサイトを介してメール配信の形態で情報供給されるメールデータ（ＭＡＩＬデータ）とを分けて生成することもできる。
【００３４】
かかるシステム構成により、本発明の情報媒介システムを利用する料飲店（加入店）が、携帯電話機等その操作に係る情報供給側通信端末により、需要者に供給、広告宣伝したい自店の情報（文章、写真、他）を、Ｗｅｂサイトを介した広告宣伝用のもの（ＷＥＢ／ＭＡＩＬ用）、印刷物による広告宣伝用のもの（フリーペーパー用）とをそれぞれ処理できるように識別がなされ得る形態で、電子メールによりインターネットを介して電子メールデータ変換システムに送信される。
【００３５】
電子メールデータ変換システムにより生成されたＷｅｂデータ、メールデータは、Ｗｅｂサーバ／メールサーバに送られ、それぞれＷｅｂサイト上でインターネットを介して情報需要側通信端末により閲覧可能なコンテンツ、Ｗｅｂサイト、インターネットを介して情報需要側通信端末に対して配信される電子メールとして、提供される。
【００３６】
一方、電子メールデータ変換システムにより生成された印刷用データ（フリーペーパー用）は、印刷物制作用端末に送られ、フリーペーパーとして提供される。
【００３７】
したがって本システム例では、情報供給側（料飲店  加入店）は一度の電子メール送信を行うだけで、それに基づくＷｅｂサイト上またはそれを介した広告宣伝機会とフリーペーパー等印刷媒体による広告宣伝機会を同時進行的に得ることができる。一方、情報需要側（料飲店利用者）は、Ｗｅｂサイト、印刷物両媒体により情報を得ることができるとともに、メールサーバのデータベースに登録されることにより、自動的な情報配信を得ることもできる。その際、特定の情報供給側主体（料飲店）・営業所在地域・営業内容等を選択して配信を得る等のことは、適宜行える。
【００３８】
図５は、図４のシステム例において情報需用側通信端末上で行われるＷｅｂサイト検索例を示す図である。図示するように、直接、特定店名による検索を行える、あるいはまた料飲店の営業内容（提供サービス内容  カテゴリー）や地域等により検索を絞り込むことのできる絞り込み検索を行えるようにＷｅｂサイト上のコンテンツを構成することは、適宜行える。また、検索結果として閲覧される情報はすべて、情報供給側通信端末からの情報（文章、写真、タイトル、他）をそのまま用いることができる。
【００３９】
なお、かかる構成に関わらず、本情報媒介システム利用者である料飲店等の情報供給側通信端末からも、本システムとは独立して、本システムにて取り扱われるのと同じ情報を、情報利用側通信端末に対して自動配信することができることは、いうまでもない。
【産業上の利用可能性】
【００４０】
本発明の電子メールデータ変換システムおよび情報媒介システムは上述のように構成されるため、これによれば、情報供給側の者に係る携帯電話機等からの電子メール送信により随時更新可能な情報供給を安価かつ簡易な構成により行うことができ、それにより、たとえば小規模経営の料飲店など広告コストに限界のある広告主であっても、低コストかつ容易に利用可能な広告手段を得ることができるなど、低コストかつ容易に利用可能な情報供給手段を得ることができる。したがって、小規模経営の料飲業界等広告コストに限界のある事業者および広告業界双方にとって、産業上利用価値が高い発明である。
【図面の簡単な説明】
【００４１】
【図１】本発明の電子メールデータ変換システムの基本構成を示すブロック図である。
【図２】本発明の電子メールデータ変換システムにおける電子メールデータの処理の流れを示すフロー図である。
【図３】本発明の情報媒介システムの基本構成を示すブロック図である。
【図４】本情報媒介システムを営業・広告情報の媒介に用いた場合の例を示す説明図である。
【図５】図４に示す実施例における、情報需用者（利用者）側通信端末における画面出力展開例を示す説明図である。
【符号の説明】
【００４２】
１…メール受信手段
２…データ変換前処理手段
３…Ｗｅｂデータ生成変換手段
４…印刷データ生成変換手段
６…情報供給側通信端末
８…インターネット
９…情報需用者側通信端末
１０、１５…電子メールデータ変換システム
２１…メールデータ判別機能
３０…Ｗｅｂサーバ
３５…メールサーバ
４０…印刷物制作用端末
１００…情報媒介システム
Ｃ…コンテンツ
Ｄｅ…電子メールデータ
ＤｅＷ…Ｗｅｂサイト用メールデータ
ＤｅＰ…印刷用メールデータ
ＤＰ…印刷用データ
ＤＷ…Ｗｅｂサイト用データ
Ｐ１…メール受信過程
Ｐ２…データ変換前処理過程
Ｐ３…Ｗｅｂデータ生成変換過程
Ｐ４…印刷データ生成変換過程
【図１】
2006059279.tif 000003
【図２】
2006059279.tif 000004
【図３】
2006059279.tif 000005
【図４】
2006059279.tif 000006
【図５】
2006059279.tif 000007